(57)【特許請求の範囲】
【請求項１】
表示条件の異なる種々の画像信号に対応する画像表示装置であって、
供給される画像信号に含まれるアナログ画像信号の周波数成分を調整する周波数特性調整部と、
前記周波数特性調整部で調整されたアナログ画像信号をディジタル画像信号に変換するＡ／Ｄ変換部と、
変換された前記ディジタル画像信号に基づいて画像を表示する画像表示部と、を備え、
前記周波数特性調整部は、
周波数特性が可変なフィルタ部と、
前記供給される画像信号に固有の前記表示条件を検出する表示条件検出部と、
検出された前記表示条件に応じて、前記フィルタ部の周波数特性を制御するフィルタ制御部と、を備え、
前記フィルタ制御部は、前記検出された表示条件により示される前記アナログ画像信号の基本波の周波数に基づいて、前記フィルタ部の周波数特性を制御し、前記供給される画像信号がコンピュータから供給される画像信号である場合には、前記基本波に対する３倍の周波数を有する３倍高調波成分を少なくとも通過させるように、前記フィルタ部の周波数特性を制御する、
画像表示装置。
【請求項２】
請求項１記載の画像表示装置であって、
前記表示条件検出部は、
前記供給される画像信号に含まれる水平同期信号および垂直同期信号の状態に基づいて、前記供給される画像信号に固有の前記表示条件を検出する、画像表示装置。
【請求項３】
請求項１または請求項２記載の画像表示装置であって、
前記フィルタ部は、
周波数特性の異なる複数のフィルタと、
前記複数のフィルタの中から１つのフィルタを選択する選択部と、を備え、
前記フィルタ制御部は、前記検出された表示条件に対応する周波数特性のフィルタを選択するように前記選択部を制御する、
画像表示装置。
【請求項４】
前記画像表示装置は、画像を投写するプロジェクタである請求項１ないし請求項３のいずれかに記載の画像表示装置。
【発明の詳細な説明】
【０００１】
【発明の属する技術分野】
この発明は、表示条件の異なる種々の画像信号に対応する画像表示装置に関する。
【０００２】
【従来の技術】
画像を投写するプロジェクタは、コンピュータを用いて生成された画像をスクリーン上に拡大して表示する投写型表示装置である。プロジェクタは、外部の画像供給装置から供給されるアナログ画像信号を一旦ディジタル画像信号に変換し、種々の画像処理を実行した後で、ＬＣＤ(Liquid Crystal Display)のような光変調器に供給可能な画像信号を生成する。そして、生成された画像信号に応じてＬＣＤを駆動して光源から照射された照明光を変調し、投写光学系を介してスクリーン上に画像を投写表示する。
【０００３】
【発明が解決しようとする課題】
このようなプロジェクタでは、一般に、ＶＧＡ，ＳＶＧＡ，ＸＧＡ等の種々のフォーマットに対応するコンピュータの画像信号や、ビデオレコーダやＤＶＤ（Digital Versatile Disc）プレイヤ等の再生装置で再生されたテレビジョン信号（ハイビジョン信号を含む）のように種々の表示条件の画像信号による画像の表示が求められている。
【０００４】
ここで、アナログ画像信号をディジタル画像信号に変換する際には、サンプリング周波数とアナログ画像信号に含まれる周波数成分とに応じて量子化ノイズが発生する。この量子化ノイズは表示画像の画質劣化に影響するため、アナログ画像信号をディジタル画像信号に変換する前に、量子化ノイズを発生する要因となる周波数成分をアナログ画像信号から抑制することが好ましい。
【０００５】
しかし、種々の表示条件に対応して画像を表示させる場合、供給されるアナログ画像信号として、その表示条件に応じて比較的低い周波数成分しか有さない信号から比較的高い周波数成分を有する信号まで種々の画像信号が入力されることになる。このように、比較的低い周波数成分から比較的高い周波数成分の範囲の広い画像信号が入力されるような種々の表示条件に対応させる場合に、それぞれの表示条件において発生しうる量子化ノイズをどのようにして抑制するかが問題となる。
【０００６】
なお、この問題は、プロジェクタに限らず、アナログ画像信号をディジタル画像信号に変換して利用する画像表示装置において、種々の表示条件に対応する画像信号による画像を表示させる場合に共通する問題である。
【０００７】
この発明は、従来技術における上述の課題を解決するためになされたものであり、表示条件の異なる種々の画像信号の全てに対して、量子化ノイズによる画質劣化を適切に抑制して高画質な画像を表示させる技術を提供することを目的とする。
【０００８】
【課題を解決するための手段およびその作用・効果】
上来目的を達成するために、本発明は、表示条件の異なる種々の画像信号に対応する画像表示装置であって、
供給されるアナログ画像信号の周波数成分を調整する周波数特性調整部と、
前記周波数特性調整部で調整されたアナログ画像信号をディジタル画像信号に変換するＡ／Ｄ変換部と、
変換された前記ディジタル画像信号に基づいて画像を表示する画像表示部と、を備え、
前記周波数特性調整部は、
周波数特性が可変なフィルタ部と、
前記供給される画像信号に固有の前記表示条件を検出する表示条件検出部と、
検出された前記表示条件に応じて、前記フィルタ部の周波数特性を制御するフィルタ制御部と、
を備えることを特徴とする。
【０００９】
本発明によれば、アナログ画像信号をディジタル画像信号に変換して利用する画像表示装置において、種々の表示条件に対応する画像信号による画像を表示させる場合に、量子化ノイズによる画質劣化を適切に抑制して高画質な画像を表示させる。
【００１０】
前記表示条件検出部は、
前記供給される画像信号に含まれる水平同期信号および垂直同期信号の状態に基づいて、前記供給される画像信号に固有の前記表示条件を検出することが可能である。
【００１１】
上記構成によれば、供給される画像信号に固有の表示条件を容易に検出することが可能である。
【００１２】
前記フィルタ制御部は、前記検出された表示条件により示される前記アナログ画像信号の基本波の周波数に基づいて、前記フィルタ部の周波数特性を制御することが好ましい。
【００１３】
こうすれば、供給される画像信号の表す画像が自然画像である場合に、この画像を高精度に表示することが可能である。
【００１４】
前記フィルタ制御部は、前記供給される画像信号がコンピュータから供給される画像信号である場合には、前記基本波に対する３倍の周波数を有する３倍高調波成分を少なくとも通過させるように、前記フィルタ部の周波数特性を制御することが好ましい。
【００１５】
こうすれば、供給される画像信号の表す画像がコンピュータから供給される画像信号による画像である場合、例えば、テキスト画像やグラフィック画像である場合に、この画像を高精度に表示することが可能である。
【００１６】
前記フィルタ部は、
周波数特性の異なる複数のフィルタと、
前記複数のフィルタの中から１つのフィルタを選択する選択部と、を備え、
前記フィルタ制御部は、前記検出された表示条件に対応する周波数特性のフィルタを選択するように前記選択部を制御することが可能である。
【００１７】
こうすれば、周波数特性が可変なフィルタ部を容易に構成することができる。
【００１８】
なお、上記各画像表示装置を、画像を投写するプロジェクタとすることが可能である。
【００１９】
【発明の実施の形態】
次に、本発明の実施の形態を実施例に基づいて以下の順序で説明する。
Ａ．投写表示システムの構成：
Ｂ．プロジェクタの構成および基本的動作：
Ｃ．フィルタ部の構成および特性調整：
Ｄ．フィルタ部の変形例：
【００２０】
Ａ．投写表示システムの構成：
図１は、本発明の一実施例としてのプロジェクタを適用した投写表示システムの構成例を示す説明図である。この投写表示システムＰＪＳは、プロジェクタＰＪと、スクリーンＳＣＲと、画像供給装置としてのパーソナルコンピュータＰＣおよびビデオレコーダＶＰとを備えている。
【００２１】
プロジェクタＰＪは、信号線および制御線を介してパーソナルコンピュータＰＣやビデオレコーダＶＰと接続されている。パーソナルコンピュータＰＣやビデオレコーダＶＰからプロジェクタＰＪに供給された画像は、スクリーンＳＣＲ上に投写される。なお、本実施例では、画像供給装置としてパーソナルコンピュータＰＣとビデオレコーダＶＰとを接続した例を示しているが、これに限定されるものではない。ＤＶＤプレイヤ等の種々の再生装置や種々のコンピュータが接続可能である。
【００２２】
なお、プロジェクタＰＪには、リモートコントローラ(リモコン)ＲＣが付属しており、ユーザはリモコンＲＣを用いてプロジェクタＰＪの動作やプロジェクタＰＪを介してパーソナルコンピュータＰＣやビデオレコーダＶＰの動作を制御することが可能である。
【００２３】
Ｂ．プロジェクタの構成および基本的動作：
図２は、プロジェクタＰＪの内部構成を示す概略ブロック図である。プロジェクタＰＪは、コントローラ１０と、画像処理回路２０と、液晶パネル駆動回路３０と、液晶パネル４０と、照明装置５０と、投写光学系６０と、Ｉ／Ｏ制御回路７０とを備えている。
【００２４】
コントローラ１０は、図示しないＣＰＵおよびメモリを有するマイクロコンピュータであり、バス１０ｂを介して画像処理回路２０と、液晶パネル駆動回路３０と、照明装置５０と、投写光学系６０と、Ｉ／Ｏ制御回路７０の動作を制御する。例えば、コントローラ１０は、図示しないメモリに格納されているプログラムを実行することにより、後述する表示モード検出部１０２やフィルタ制御部１０４として機能する。
【００２５】
画像処理回路２０は、液晶パネル駆動回路３０に供給可能な画像データを生成する。また、この処理の過程において種々の画像処理を実行する。
【００２６】
図３は、画像処理回路２０の内部構成を示すブロック図である。画像処理回路２０は、入力バッファ部２１０と、フィルタ部２２０と、Ａ／Ｄ変換部２３０と、変換処理部２４０と、フォーマット検出部２５０とを備えている。
【００２７】
入力バッファ部２１０は、コンピュータＰＣから供給される画像信号ＶＳ１またはビデオレコーダＶＰから供給される画像信号ＶＳ２を、赤（Ｒ），緑（Ｇ），青（Ｂ）の３色のアナログ画像信号ＲＳ，ＧＳ，ＢＳと、水平同期信号ＨＤと、垂直同期信号ＶＤとして出力する。なお、これらの３色のアナログ画像信号をまとめてＲＧＢ信号と呼ぶ。
【００２８】
入力バッファ部２１０は、図示しない選択回路を備えており、画像信号ＶＳ１と画像信号ＶＳ２のいずれか一方を選択する。画像信号の選択は、ユーザがリモコンＲＣにより行うことが可能である。
【００２９】
入力バッファ部２１０は、画像信号ＶＳ１、ＶＳ２がＲＧＢ信号と水平同期信号ＨＤと垂直同期信号ＶＤとのすべてがそれぞれ分離した状態で含まれるコンポーネント信号でない場合には、これらの画像信号ＶＳ１，ＶＳ２をＲＧＢ信号と、水平同期信号ＨＤと、垂直同期信号ＶＤとに分離して出力する。
【００３０】
入力バッファ部２１０から出力されたＲＧＢ信号は、フィルタ部２２０に入力される。フィルタ部２２０は、３色のアナログ画像信号ＲＳ，ＧＳ，ＢＳが入力される３つのフィルタ部２２０Ｒ，２２０Ｇ，２２０Ｂで構成される。各フィルタ部２２０Ｒ，２２０Ｇ，２２０Ｂは、後述するように入力される各色のアナログ画像信号ＲＳ，ＧＳ，ＢＳの周波数成分を調整する。
【００３１】
３色のフィルタ部２２０Ｒ，２２０Ｇ，２２０Ｂから出力された３色のアナログ画像信号ＦＲＳ，ＦＲＧ，ＦＲＢは、Ａ／Ｄ変換部２３０に入力される。Ａ／Ｄ変換部２３０は、３色のアナログ画像信号ＦＲＳ，ＦＲＧ，ＦＲＢが入力される３つのＡ／Ｄコンバータ２３０Ｒ，２３０Ｇ，２３０Ｂで構成される。各Ａ／Ｄコンバータ２３０Ｒ，２３０Ｇ，２３０Ｂは、入力される３色のアナログ画像信号ＦＲＳ，ＦＲＧ，ＦＲＢをディジタル画像信号ＲＤ，ＧＤ，ＢＤに変換する。
【００３２】
Ａ／Ｄ変換部２３０から出力された３色のディジタル画像信号ＲＤ，ＧＤ，ＢＤは、変換処理部２４０に入力される。変換処理部２４０は、３色のディジタル画像信号ＲＤ，ＧＤ，ＢＤに基づいて、液晶パネル駆動回路３０に供給可能な画像データを生成する。
【００３３】
フォーマット検出部２５０は、水平同期信号ＨＤおよび垂直同期信号ＶＤの周波数、信号極性等の信号フォーマットを検出し、その検出結果をコントローラ１０の表示モード検出部１０２に転送する。表示モード検出部１０２は、フォーマット検出部２５０から転送された検出結果に基づいて画像表示モード（表示条件）を判別する。したがって、フォーマット検出部２５０および表示モード検出部が本発明の表示条件検出部に相当する。
【００３４】
コントローラ１０のフィルタ制御部１０４は、判別された画像表示モードに基づいて、後述するように各フィルタ部２２０Ｒ，２２０Ｇ，２２０Ｂを制御する。
【００３５】
図２の液晶パネル駆動回路３０は、画像処理回路２０から供給された画像データに応じて、液晶パネル４０を駆動するための駆動信号を生成する。液晶パネル４０は、照明装置５０から射出された照明光を、液晶パネル駆動回路３０から出力された駆動信号に応じて変調するライトバルブ（光変調デバイス）として機能する。なお、照明装置５０の照明光の明るさは、コントローラ１０によって制御可能である。
【００３６】
液晶パネル４０において変調された照明光は、画像を表す光（画像光）として、投写光学系６０によってスクリーンＳＣＲに向けて射出される。これにより、スクリーンＳＣＲ上に画像が投写される。なお、投写光学系６０の投写倍率は、コントローラ１０によって制御可能である。
【００３７】
なお、液晶パネル駆動回路３０と、液晶パネル４０と、照明装置５０と、投写光学系６０とが本発明の画像表示部に相当する。
【００３８】
なお、図示は省略しているが、液晶パネル４０は、ＲＧＢの３色に対応する３枚の液晶パネルを含んでいる。このため、画像処理回路２０および液晶パネル駆動回路３０の各回路は、ＲＧＢの３色分の画像信号を処理する機能を有している。また、照明装置５０は、光源光を３色の光に分離する色光分離光学系を有しており、また、投写光学系６０は、３色の画像光を合成してカラー画像を表す画像光を生成する合成光学系と投写レンズとを有している。なお、このようなプロジェクタの光学系の構成については、種々の一般的なプロジェクタの光学系の構成が利用可能である。
【００３９】
Ｉ／Ｏ制御回路７０は、図示しない受信部で受信されるリモコンＲＣからの赤外線信号に含まれるコマンドやデータをコントローラ１０へ転送する。コントローラ１０は、転送されたコマンドやデータに応じて種々の動作を実行する。また、Ｉ／Ｏ制御回路７０とパーソナルコンピュータＰＣおよびビデオレコーダＶＰとは、互いに制御信号ＣＳを送受信可能に接続されており、互いの動作を制御可能である。
【００４０】
Ｃ．フィルタ部の構成および周波数特性の調整：
図４は、Ｒ信号ＲＳに対応するフィルタ部２２０Ｒの内部構成を示すブロック図である。なお、他の色の信号ＧＳ，ＢＳに対応するフィルタ部２２０Ｇ，２２０Ｂも全く同じ構成であるので、以下ではＲ信号ＲＳに対応するフィルタ部２２０Ｒについて説明する。
【００４１】
このフィルタ部２２０Ｒは、入力セレクタ２２２と、フィルタ回路２２４と、出力セレクタ２２６とを備えている。フィルタ回路２２４は、４種類のフィルタＬＰＦ１０，ＬＰＦ４０，ＬＰＦ７５，ＬＰＦ１２０を有している。これらのフィルタＬＰＦ１０，ＬＰＦ４０，ＬＰＦ７５，ＬＰＦ１２０は、それぞれカットオフ周波数ｆｃが１０ＭＨｚ，４０ＭＨｚ，７５ＭＨｚ，１２０ＭＨｚのローパスフィルタである。なお、各フィルタは、それぞれ一般に市販されている種々のフィルタ素子、例えば、積層チップＥＭＩ除去フィルタＦＫ２１２５Ｔシリーズ、ＦＫ２１２５ＴＺシリーズ（太陽誘電製）等により構成することができる。また、種々のディスクリート部品を用いて種々のフィルタを構成することも可能である。
【００４２】
入力セレクタ２２２および出力セレクタ２２６は、コントローラ１０のフィルタ制御部１０４から供給される選択データに基づいて、フィルタ回路２２４の複数のフィルタの中から対応する１つのフィルタを選択する選択部として機能する。
【００４３】
図５は、画像表示モードと選択フィルタとの関係の一例を示す説明図である。画像表示モードがＶＧＡ６０、ＳＶＧＡ７５、ＸＧＡ７０、ＴＶ、ＨＤＴＶに応じてそれぞれフィルタＬＰＦ４０、ＬＰＦ７５、ＬＰＦ１２０、ＬＰＦ１０、ＬＰＦ４０が選択される。なお、フィルタの選択は以下に説明するように行われる。
【００４４】
水平同期信号ＨＤおよび垂直同期信号ＶＤの周波数、信号極性等の信号フォーマットは、画像表示モードによってそれぞれ異なっている。従って、この信号フォーマットの状態を調べることにより画像表示モードを判別することが可能である。そこで、表示モード検出部１０２は、フォーマット検出部２５０から転送された検出結果（信号フォーマットの状態）に基づいて画像表示モード（表示条件）を判別する。この判別は、コントローラ１０に含まれる図示しないメモリ内に記憶されている画像表示モード検出テーブルを参照して行われる。この画像表示モード検出テーブルは、画像表示モードと信号フォーマットとの関係を示すデータベースである。
【００４５】
そして、コントローラ１０のフィルタ制御部１０４は、表示モード検出部１０２で検出された検出結果（画像表示モード）に対応するフィルタの選択データに基づいて、フィルタ部２２０Ｒの入力セレクタ２２２および出力セレクタ２２６を制御して、フィルタ回路２２４の中から対応する１つのフィルタを選択する。これにより、フィルタ部２２０Ｒの周波数特性を画像表示モードに対応して制御することができる。なお、選択データは、あらかじめコントローラ１０に含まれる図示しないメモリ内に記憶されている選択データテーブルを参照することにより求めることができる。この選択データテーブルは、画像表示モードと選択データの関係を示すデータベースである。
【００４６】
なお、フィルタ部２２０Ｒの各画像表示モードに対応して選択されるフィルタのカットオフ周波数ｆｃは、以下で説明するように設定される。
【００４７】
パーソナルコンピュータＰＣから供給される画像信号によって表されるテキスト画像やグラフィック画像を高精度に表示するためには、画像信号に含まれる画素クロックの周波数ｆｃｌｋの１／２の周波数ｆ１を有する基本波だけでなく、その高調波成分もフィルタ部２２０Ｒをできる限りそのまま通過させるほうが好ましい。しかしながら、あまり高い周波数の高調波はＡ／Ｄ変換部２３０Ｒにおいて量子化する際に、エイリアスノイズに代表される量子化ノイズを発生する要因となるため、このような量子化ノイズに影響する高調波成分については通過させない方が好ましい。そこで、画像表示モードがパーソナルコンピュータＰＣから供給される画像信号である場合には、３倍高調波の周波数ｆ３よりも高い高調波成分を抑制するようにフィルタ部２２０Ｒの周波数特性を設定することが好ましい。例えば、図５に示すように、画像表示モードがＶＧＡ６０の場合、３倍高調波の周波数ｆ３が３７．７６３ＭＨｚであるのでカットオフ周波数ｆｃが４０ＭＨｚのフィルタＬＰＦ４０を選択する。同様に、画像表示モードがＳＶＧＡ７５の場合には、３倍高調波の周波数ｆ３が７４．２５０ＭＨｚであるのでカットオフ周波数ｆｃが７５ＭＨｚのフィルタＬＰＦ７５を選択する。また、画像表示モードがＳＸＧＡ７０の場合には、３倍高調波の周波数ｆ３が１１２．５００ＭＨｚであるのでカットオフ周波数ｆｃが１２０ＭＨｚのフィルタＬＰＦを選択するができる。
【００４８】
また、ビデオレコーダＶＰから供給されるテレビジョン信号やハイビジョン信号によって表される自然画像を高精度に表示するためには、周波数成分の高い信号成分を通過させるよりも、できる限りノイズの影響を抑制するほうが好ましい。そこで、画像表示モードがビデオレコーダＶＰから供給されるテレビジョン信号やハイビジョン信号である場合は、基本波の周波数ｆ１を通過させ、基本波の周波数ｆ１よりも高い高調波成分を抑制するようにフィルタ部２２０Ｒの周波数特性を設定する。例えば、図５に示すように、画像表示モードがＴＶの場合、基本波の周波数ｆ１が７．１５９ＭＨｚであるので、カットオフ周波数ｆｃが１０ＭＨｚのフィルタＬＰＦ１０を選択する。また、画像表示モードがＨＤＴＶの場合には基本波の周波数ｆ１が３７．１２５ＭＨｚであるので、カットオフ周波数ｆｃが４０ＭＨｚのフィルタＬＰＦ４０を選択することができる。
【００４９】
なお、本実施例のフィルタ部２２０Ｒは、図５に示すように５種類の画像表示モードに対応する構成を例に説明したがこれに限定されるものではなく、さらに多くのフィルタを備えることによりさらに多くの画像表示モードに対応させることが可能である。
【００５０】
また、本実施例では、画像表示モードに応じてカットオフ周波数の異なるフィルタを選択する場合を例に説明したがこれに限定されるものではなく，画像表示モードに応じて構成や周波数特性（カットオフ周波数、減衰特性等）の異なるフィルタを選択する構成とするようにしてもよい。例えば、上記例では、ＶＧＡ６０とＨＤＴＶでは同じフィルタＬＰＦ４０を選択する場合を例に説明しているが、前述したようにパーソナルコンピュータＰＣから供給される画像信号と、テレビジョン信号（ハイビジョン信号を含む）とでは、信号の特性が異なる場合が多い。そこで、それぞれの信号の特性に応じて、カットオフ周波数ｆｃが同じであっても減衰特性の異なるフィルタを選択するようにしてもよい。こうすれば、画像表示モードに応じてより適切な周波数特性を有するフィルタを選択することが可能となる。
【００５１】
Ｄ．フィルタ部の変形例：
【００５２】
図６は、フィルタ部２２０Ｒの変形例を示すブロック図である。このフィルタ部２２０ＡＲは、３つのバッファアンプ２６３，２６４，２６５と、２つのフィルタ２６６，２６７と、Ｄ／Ａコンバータ２６２とを備えている。
【００５３】
第１のバッファアンプ２６３の出力は、第１のフィルタ２６６の入力とカップリングコンデンサＣ１を介して接続されており、第１のフィルタ２６６の出力は第２のバッファアンプ２６４の入力と接続されている。そして、第２のバッファアンプ２６４の出力は、第２のフィルタ２６７の入力とカップリングコンデンサＣ２を介して接続されており、第２のフィルタ２６７の出力は第３のバッファアンプ２６５の入力と接続されている。
【００５４】
第１のフィルタ２６６は、抵抗Ｒ２と可変容量ダイオードＤ１とで構成される１次のローパスフィルタである。第１のフィルタ２６６のカットオフ周波数ｆｃ１は、抵抗Ｒ２の抵抗値をＲａ、Ｄ／Ａコンバータ２６２からの出力電圧をＶＤＡとした時の可変容量ダイオードＤ１の容量をＣａ（ＶＤＡ）とすると、下式で表される。
【００５５】
ｆｃ１＝１／（２・π・Ｒａ・Ｃａ（ＶＤＡ））
【００５６】
なお、抵抗Ｒ１の抵抗値は、入力される信号の周波数帯域において、等価的に非導通とみなすことが可能な抵抗値、すなわち、抵抗Ｒ２の抵抗値Ｒａよりも非常に大きな抵抗値に設定される。
【００５７】
可変容量ダイオードＤ１の容量Ｃａ（ＶＤＡ）は、Ｄ／Ａコンバータ２６２から出力される出力電圧ＶＤＡに応じて変化する。従って、第１のフィルタ２６６のカットオフ周波数ｆｃ１は、出力電圧ＶＤＡに応じて変化する。
【００５８】
第２のフィルタ２６７も、抵抗Ｒ４と可変容量ダイオードＤ２とで構成される１次のローパスフィルタである。第２のフィルタ２６７のカットオフ周波数ｆｃ２も、第１のフィルタ２６６と同様に、抵抗Ｒ４の抵抗値をＲｂ、Ｄ／Ａコンバータ２６２からの出力電圧をＶＤＡとした時の可変容量ダイオードＤ２の容量をＣｂ（ＶＤＡ）とすると、下式で表される。なお、抵抗Ｒ３の抵抗値も、抵抗Ｒ４の抵抗値Ｒｂよりも非常に大きな抵抗値に設定される。
【００５９】
ｆｃ２＝１／（２・π・Ｒｂ・Ｃｂ（ＶＤＡ））
【００６０】
可変容量ダイオードＤ２の容量Ｃｂ（ＶＤＡ）も、Ｄ／Ａコンバータ２６２から出力される出力電圧ＶＤＡに応じて変化するので、第２のカットオフ周波数ｆｃ２も、出力電圧ＶＤＡに応じて変化する。
【００６１】
従って、このフィルタ部２２０ＡＲのカットオフ周波数ｆｃは、第１のフィルタ２６６および第２のフィルタ２６７のカットオフ周波数ｆｃ１，ｆｃ２を変化させることにより変化させることができる。
【００６２】
以上説明からわかるように、このフィルタ部２２０ＡＲも、Ｄ／Ａコンバータ２６２から出力される出力電圧ＶＤＡを制御することにより周波数特性を調整することができる。
【００６３】
なお、この発明は上記の実施例や実施形態に限られるものではなく、その要旨を逸脱しない範囲において種々の態様において実施することが可能である。例えば、上記実施例では、画像を投写するプロジェクタを例に説明しているがこれに限定されるものではなく、種々の画像表示装置において適用可能である。
【図面の簡単な説明】
【図１】本発明の一実施例としてのプロジェクタを適用した投写表示システムの構成例を示す説明図である。
【図２】プロジェクタＰＪの内部構成を示す概略ブロック図である。
【図３】画像処理回路２０の内部構成を示すブロック図である。
【図４】Ｒ信号ＲＳに対応するフィルタ部２２０Ｒの内部構成を示すブロック図である。
【図５】画像表示モードと選択フィルタとの関係の一例を示す説明図である。
【図６】フィルタ部２２０Ｒの変形例を示すブロック図である。
【符号の説明】
１０…コントローラ
１０ｂ…バス
２０…画像処理回路
３０…液晶パネル駆動回路
４０…液晶パネル
５０…照明装置
６０…投写光学系
１０２…表示モード検出部
１０４…フィルタ制御部
２１０…入力バッファ部
２２０…フィルタ部
２２０Ｒ，２２０Ｇ，２２０Ｂ…フィルタ部
２２２…入力セレクタ
２２４…フィルタ回路
ＬＰＦ１０，ＬＰＦ４０，ＬＰＦ７５，ＬＰＦ１２０…フィルタ
２２６…出力セレクタ
２３０…Ａ／Ｄ変換部
２３０Ｒ，２３０Ｇ，２３０Ｂ…Ａ／Ｄコンバータ
２４０…変換処理部
２５０…フォーマット検出部
２２０ＡＲ…フィルタ
２６３，２６４，２６５…バッファアンプ
２６６，２６７…フィルタ
Ｃ１…カップリングコンデンサ
Ｃ２…カップリングコンデンサ
Ｒ２…抵抗
Ｄ１…可変容量ダイオード
Ｒ４…抵抗
Ｄ２…可変容量ダイオード
Ｒ１，Ｒ３…抵抗
ＰＪＳ…投写表示システム
ＰＣ…パーソナルコンピュータ
ＶＰ…ビデオレコーダ
ＰＪ…プロジェクタ
ＲＣ…リモートコントローラ(リモコン)
【図１】
0003820891.tif 000002
【図２】
0003820891.tif 000003
【図３】
0003820891.tif 000004
【図４】
0003820891.tif 000005
【図５】
0003820891.tif 000006
【図６】
0003820891.tif 000007